(57)【要約】【課題】移動機が着信に応答できない間の移動機に対する着信に関する着信情報を、応答可能な状態になった移動機に確実に提供する。【解決手段】第１位置登録要求に含まれる移動機情報をエリア情報記憶部４１ａが記憶する場合、即ち、移動機１０ａが同じＭＳＣ／ＶＬＲ３０ａに第１位置登録要求を送信し、第２位置登録要求がＨＬＲ／ＳＣＦ６０に提供されない場合には、ＭＳＣ／ＶＬＲ３０ａが復帰通知をＨＬＲ／ＳＣＦ６０に提供する。第１位置登録要求に含まれる移動機情報をエリア情報記憶部４１ａが記憶しない場合、即ち、移動機１０ａが位置登録を行っていたＭＳＣ／ＶＬＲ３０ｂと異なるＭＳＣ／ＶＬＲ３０ａに第１位置登録要求を送信した場合には、ＭＳＣ／ＶＬＲ３０ａが第２位置登録要求をＨＬＲ／ＳＣＦ６０に提供する。【選択図】図１
2005303847.tif 000002
【特許請求の範囲】
【請求項１】
担当するエリアへの第１位置登録要求を移動機から受け付けるエリア管理装置と、該エリア管理装置と前記移動機との対応付けを行う制御装置とを備える移動通信システムであって、
前記エリア管理装置は、
前記第１位置登録要求を受け付けた移動機に関する移動機情報を記憶するエリア情報記憶部と、
前記第１位置登録要求に含まれる移動機情報を前記エリア情報記憶部が記憶するか否かを判断し、前記移動機が応答可能になったことを通知する復帰通知又は前記対応付けを要求する第２位置登録要求を、前記判断結果に応じて前記制御装置に提供する要求処理部とを備え、
前記制御装置は、
前記移動機が応答できない間の該移動機に対する着信に関する着信情報を記憶する着信情報記憶部と、
該着信情報記憶部に前記着信情報を登録する着信情報登録部と、
前記エリア管理装置から提供される前記復帰通知又は前記第２位置登録要求に基づいて前記着信情報記憶部から前記着信情報を取得し、前記移動機に提供する着信情報提供部と
を備えることを特徴とする移動通信システム。
【請求項２】
前記制御装置から前記着信情報を取得し、該着信情報を含むメッセージを作成して前記移動機に提供するメッセージ提供部を備えることを特徴とする請求項１に記載の移動通信システム。
【請求項３】
担当するエリアへの第１位置登録要求を移動機から受け付けるエリア管理装置であって、
前記第１位置登録要求を受け付けた移動機に関する移動機情報を記憶するエリア情報記憶部と、
前記第１位置登録要求に含まれる移動機情報を前記エリア情報記憶部が記憶するか否かを判断し、エリア管理装置と移動機との対応付けを行い、前記移動機が応答できない間の該移動機に対する着信に関する着信情報を記憶する制御装置に、前記判断結果に応じて前記移動機が応答可能になったことを通知する復帰通知又は前記対応付けを要求する第２位置登録要求を提供する要求処理部と
を備えることを特徴とするエリア管理装置。
【請求項４】
前記エリア情報記憶部が移動機情報を記憶する移動機に対する着信であって、該移動機が応答できなかった着信の有無を記憶する着信有無記憶部と、
該着信有無記憶部に前記応答できなかった着信の有無を登録する着信有無登録部とを備え、
前記要求処理部は、前記着信有無記憶部が記憶する着信の有無に基づいて前記復帰通知を提供することを特徴とする請求項３に記載のエリア管理装置。
【請求項５】
担当するエリアへの第１位置登録要求を移動機から受け付けるエリア管理装置と前記移動機との対応付けを行う制御装置であって、
前記移動機が応答できない間の該移動機に対する着信に関する着信情報を記憶する着信情報記憶部と、
該着信情報記憶部に前記着信情報を登録する着信情報登録部と、
前記エリア管理装置から提供される前記移動機が応答可能になったことを通知する復帰通知又は前記対応付けを要求する第２位置登録要求に基づいて前記着信情報記憶部から前記着信情報を取得し、前記移動機に提供する着信情報提供部と
を備えることを特徴とする制御装置。
【請求項６】
担当するエリアへの第１位置登録要求を移動機から受け付けるエリア管理装置と、該エリア管理装置と前記移動機との対応付けを行う制御装置とを備える移動通信システムにおける着信情報提供方法であって、
前記エリア管理装置が、第１位置登録要求に含まれる移動機情報を、前記エリア管理装置が前記第１位置登録要求を受け付けた移動機に関する移動機情報として記憶しているか否かを判断し、
該判断結果に応じて前記移動機が応答可能になったことを通知する復帰通知又は前記対応付けを要求する第２位置登録要求を前記制御装置に提供し、
前記制御装置が、前記移動機が応答できない間の該移動機に対する着信に関する着信情報を記憶する着信情報記憶部に前記着信情報を登録し、
前記エリア管理装置から提供される前記復帰通知又は前記第２位置登録要求に基づいて、前記着信情報記憶部から前記着信情報を取得し、前記移動機に提供することを特徴とする着信情報提供方法。
【発明の詳細な説明】
【技術分野】
【０００１】
本発明は、移動通信システム、エリア管理装置、制御装置及び着信情報提供方法に関する。
【背景技術】
【０００２】
従来の移動通信システムでは、固定電話網や他の移動通信網等のネットワークからコアネットワークに移動機に対する着信があったときに、その着信に移動機が何らかの理由で応答できない場合、その着信情報を移動機に提供して移動機に蓄積しておくことができなかった。
【０００３】
例えば、図１６に示すように、ネットワークからＧＭＳＣ（Gateway  MSC）３９０に移動機３１０に対する回線設定要求３０１が届き、移動機３１０に対する着信があった場合、ＧＭＳＣ３９０は、ＨＬＲ／ＳＣＦ（Home Location Register/Service Control Function）３６０を介してＭＳＣ／ＶＬＲ（Mobile Switching Center/Visitor Location Resister）３３０に移動機３１０の呼び出し要求３０２ａを提供する。
【０００４】
呼び出し要求３０２ａを受信したＭＳＣ／ＶＬＲ３３０は、移動機３１０に対してページング要求３０３を提供する。ＭＳＣ／ＶＬＲ３３０は、移動機３１０からのページング応答を受信できない場合、呼び出し要求３０２ａに対する呼び出し応答３０２ｂとして、移動機３１０と回線設定できないことを、ＨＬＲ／ＳＣＦ３６０を介してＧＭＳＣ３９０に通知し、処理を終了する。
【０００５】
そのため、従来の移動通信システムでは、移動機３１０が移動機に対する着信に応答できない場合に、その着信情報を移動機に提供し、移動機に蓄積しておくことができなかった。その結果、移動機３１０は着信情報を確認できなかった。
【０００６】
このような問題を解決するために、移動端末を呼び出しても応答がなかったときには、ＨＬＲに配置された着信履歴格納手段に着信呼があった旨を格納し、ＨＬＲが着信呼を受信すべき移動端末の位置登録要求を受信した時に、着信履歴格納手段を検索して着信履歴の通知を行うシステムが提案されている（例えば、特許文献１参照）。又、着信情報管理サーバが着信記録を記録し、加入者から着信記録照会信号を受信すると、着信記録を電子メール形式で提供するシステムも提案されている（例えば、特許文献２参照）。
【特許文献１】特開２００３−２８４１４７号公報
【特許文献２】特開２００３−１３４５６８号公報
【発明の開示】
【発明が解決しようとする課題】
【０００７】
しかしながら、特許文献１に記載のシステムでは、ＨＬＲが位置登録要求の受信だけを契機に着信履歴を通知する。そのため、例えば、ＩＭＴ−２０００（International Mobile Telecommunications−２０００）のように、ＭＳＣ／ＶＬＲが担当エリアへの位置登録要求を移動機から受け付け、ＨＬＲ／ＳＣＦがＶＬＲと移動機とを対応付けて管理する移動通信システムでは、以下に示す新たな問題を生じた。
【０００８】
移動機が同じＭＳＣ／ＶＬＲに位置登録を要求する場合には、ＨＬＲ／ＳＣＦに登録されている移動機とＶＬＲとの対応付けは変更されない。そのため、移動機からの位置登録要求に基づく処理は、ＭＳＣ／ＶＬＲにおいて完了し、移動機とＶＬＲとの対応付けを要求するＶＬＲからの位置登録要求はＨＬＲに提供されない。その結果、特許文献１に記載のシステムでは、移動機が位置登録を要求し、応答可能な状態になっていても、ＨＬＲ／ＳＣＦがそれを検出できず、着信履歴を移動機に通知できないという問題を生じた。
【０００９】
又、特許文献２に記載のシステムでは、着信情報管理サーバが加入者からの着信記録照会信号の受信を契機に着信記録を提供する。そのため、このシステムでも、移動機が応答可能な状態になっていても、移動機が着信記録照会信号を送信し忘れると、着信記録を移動機に提供できないという問題があった。
【００１０】
そこで、本発明は、移動機が着信に応答できない間の移動機に対する着信に関する着信情報を、応答可能な状態になった移動機に確実に提供することを目的とする。
【課題を解決するための手段】
【００１１】
本発明に係る移動通信システムは、担当するエリアへの第１位置登録要求を移動機から受け付けるエリア管理装置と、そのエリア管理装置と移動機との対応付けを行う制御装置とを備える。そして、エリア管理装置は、第１位置登録要求を受け付けた移動機に関する移動機情報を記憶するエリア情報記憶部と、第１位置登録要求に含まれる移動機情報をエリア情報記憶部が記憶するか否かを判断し、移動機が応答可能になったことを通知する復帰通知、又は、エリア管理装置と移動機との対応付けを要求する第２位置登録要求を、判断結果に応じて制御装置に提供する要求処理部とを備えることを特徴とする。
【００１２】
更に、制御装置は、移動機が応答できない間のその移動機に対する着信に関する着信情報を記憶する着信情報記憶部と、着信情報記憶部に着信情報を登録する着信情報登録部と、エリア管理装置から提供される復帰通知又は第２位置登録要求に基づいて着信情報記憶部から着信情報を取得し、移動機に提供する着信情報提供部とを備えることを特徴とする。
【００１３】
ここで、第１位置登録要求とは、移動機がエリア管理装置に要求する位置登録の要求である。第２位置登録要求とは、エリア管理装置が制御装置に要求する、移動機が位置登録を行っているエリア管理装置と移動機との対応付けの要求である。この対応付けにより、制御装置への移動機の位置登録が行われる。又、着信情報は、移動機が応答できない間のその移動機に対する着信に関する情報であり、その内容は限定されない。例えば、着信情報には、着信の有無、発信元に関する情報、着信時間等がある。
【００１４】
このような移動通信システム、エリア管理装置及び制御装置によれば、第１位置登録要求に含まれる移動機情報をエリア情報記憶部が記憶する場合、即ち、移動機が同じエリア管理装置に第１位置登録要求を送信し、第２位置登録要求が制御装置に提供されない場合には、エリア管理装置が復帰通知を制御装置に提供できる。一方、第１位置登録要求に含まれる移動機情報をエリア情報記憶部が記憶しない場合、即ち、移動機が位置登録を行っていたエリア管理装置と異なるエリア管理装置に第１位置登録要求を送信した場合には、エリア管理装置が第２位置登録要求を制御装置に提供できる。
【００１５】
よって、制御装置は、移動機が第１位置登録要求をどのエリア管理装置に送信した場合であっても、エリア管理装置から提供される復帰通知又は第２位置登録要求のいずれかにより、移動機が新たに第１位置登録要求を送信し、応答可能な状態になったことを確実に検出できる。更に、制御装置は、移動機が着信に応答できない間の着信情報を着信情報記憶部に登録し、記憶している。そのため、制御装置は、復帰通知や第２登録要求に基づいて移動機が着信に応答できない間の着信情報を着信情報記憶部から取得し、応答可能な状態になった移動機に確実に提供できる。
【００１６】
更に、移動通信システムは、制御装置から着信情報を取得し、その着信情報を含むメッセージを作成して移動機に提供するメッセージ提供部を備えることが好ましい。これによれば、移動通信システムは、移動機の利便性が高く、より確実なメッセージ形式で着信情報を移動機に提供できる。
【００１７】
このように、着信情報提供部が着信情報を移動機に提供する方法は限定されず、着信情報提供部から、メッセージ提供部を介して移動機に着信情報を提供してもよく、エリア管理装置や他の装置を介して移動機に着信情報を提供してもよい。
【００１８】
更に、エリア管理装置は、エリア情報記憶部が移動機情報を記憶する移動機に対する着信であって、その移動機が応答できなかった着信の有無を記憶する着信有無記憶部と、着信有無記憶部に応答できなかった着信の有無を登録する着信有無登録部とを備え、要求処理部は、着信有無記憶部が記憶する着信の有無に基づいて復帰通知を提供することが好ましい。
【００１９】
これによれば、エリア管理装置は、移動機が応答できなかった着信の有無を着信有無記憶部に登録し、記憶できる。そして、エリア管理装置は、移動機が同じエリア管理装置に第１位置登録要求を送信し、第２位置登録要求が制御装置に提供されない場合であって、かつ、その移動機が応答できなかった着信があるときにだけ、制御装置に復帰通知を提供できる。よって、移動通信システムは、移動機が着信に応答できない間の着信情報がある場合にだけ、応答可能な状態になった移動機に確実に着信情報を提供できる。又、移動通信システムは、移動機が応答できなかった着信がない場合の復帰通知を省略できるため、エリア管理装置、制御装置の制御負荷を低減できる。
【００２０】
本発明に係る着信情報提供方法は、担当するエリアへの第１位置登録要求を移動機から受け付けるエリア管理装置と、そのエリア管理装置と移動機との対応付けを行う制御装置とを備える移動通信システムにおける着信情報提供方法であって、エリア管理装置が、第１位置登録要求に含まれる移動機情報を、エリア管理装置が第１位置登録要求を受け付けた移動機に関する移動機情報として記憶しているか否かを判断し、移動機が応答可能になったことを通知する復帰通知又は対応付けを要求する第２位置登録要求を、その判断結果に応じて制御装置に提供する。更に、制御装置が、移動機が応答できない間のその移動機に対する着信に関する着信情報を記憶する着信情報記憶部に前記着信情報を登録し、エリア管理装置から提供される復帰通知又は第２位置登録要求に基づいて、制御装置が記憶する移動機が応答できない間のその移動機に対する着信に関する着信情報を移動機に提供することを特徴とする。
【発明の効果】
【００２１】
以上説明したように、本発明によれば、移動機が着信に応答できない間の移動機に対する着信に関する着信情報を、応答可能な状態になった移動機に確実に提供できる。
【発明を実施するための最良の形態】
【００２２】
〔移動通信システム〕
図１に示すように、移動通信システム１００は、無線アクセスネットワーク２０ａと、コアネットワーク２０ｂとを備える。無線アクセスネットワーク２０ａは、移動機１０ａ，１０ｂと無線通信を行い、コアネットワーク２０ｂと接続する。コアネットワーク２０ｂは、無線アクセスネットワーク２０ａとネットワーク２０ｃに接続する。ネットワーク２０ｃは、例えば、固定電話網やインターネット、他の移動通信網等である。コアネットワーク２０ｂには、ネットワーク２０ｃから移動機１０ａ，１０ｂに対する回線設定要求等の呼が着信する。
【００２３】
コアネットワーク２０ｂは、複数のＭＳＣ／ＶＬＲ（Mobile Switching Center/Visitor Location Resister）３０ａ，３０ｂと、ＨＬＲ／ＳＣＦ（Home Location Register/Service Control Function）６０と、ＧＭＳＣ（Gateway  MSC）９０とを備える。
【００２４】
ＭＳＣ／ＶＬＲ３０ａ，３０ｂは、担当するエリアへの第１位置登録要求を移動機から受け付けるエリア管理装置である。移動通信システム１００が、移動通信サービスを提供する圏内は、移動機が位置登録を行う単位となる複数のエリアに区切られている。そして、複数のエリア管理装置が複数のエリアを分担する。そのため、ＭＳＣ／ＶＬＲ３０ａ，３０ｂはそれぞれ、１つ又は複数のエリアを担当する。移動機は、例えば、電源投入時、位置登録を行っているエリアから異なるエリアに移動した際、圏外から圏内に移動（以下「圏内復帰」という）した際に、第１位置登録要求をＭＳＣ／ＶＬＲ３０ａ，３０ｂに送信する。そして、ＭＳＣ／ＶＬＲ３０ａ，３０ｂがその第１位置登録要求を受け付ける。
【００２５】
尚、ＭＳＣ／ＶＬＲ３０ａ，３０ｂにはそれぞれ、エリア管理装置を識別するＬＡＩ（Location Area Identifier）等の管理装置識別情報が付与されている。又、各エリアには、エリアを識別するエリア番号等のエリア識別情報が付与されている。
【００２６】
ＨＬＲ／ＳＣＦ６０は、ＭＳＣ／ＶＬＲと移動機との対応付けを行い、移動機が着信に応答できない間のその移動機に対する着信に関する着信情報を記憶する制御装置である。ＧＭＳＣ９０は、ネットワーク２０ｃと接続する交換機である。
【００２７】
次に、ＭＳＣ／ＶＬＲ３０ａ，３０ｂについて詳細に説明する。ＭＳＣ／ＶＬＲ３０ａ，３０ｂはそれぞれ、ＭＳＣ５０ａ，５０ｂと、ＶＬＲ４０ａ，４０ｂを備える。ＶＬＲ４０ａ，４０ｂは、ＭＳＣ／ＶＬＲ３０ａ，３０ｂが担当するエリアへの第１位置登録要求を受け付けた移動機について、その移動機情報や着信の有無を記憶するデータベースである。ＶＬＲ４０ａ，４０ｂは、エリア情報記憶部４１ａ，４１ｂと、着信有無記憶部４２ａ，４２ｂを備える。
【００２８】
エリア情報記憶部４１ａ，４１ｂはそれぞれ、ＭＳＣ／ＶＬＲ３０ａ，３０ｂが担当するエリアへの第１位置登録要求を受け付けた移動機に関する移動機情報を記憶する。エリア情報記憶部４１ａ，４１ｂは、移動機情報として、移動機を識別する移動機識別情報と、移動機が位置登録を行うエリアのエリア識別情報とを対応付けて記憶する。尚、エリア情報記憶部は、ＭＳＣ／ＶＬＲが担当するエリアが１つしかない場合には、移動機情報として、移動機識別情報だけを記憶してもよい。移動機識別情報には、ユーザＩＤ、移動機番号、電話番号等がある。ユーザＩＤには、ＩＭＵＩ（International Mobile User Identity）等がある。
【００２９】
以下、ＭＳＣ／ＶＬＲ３０ａが移動機１０ａからの第１位置登録を受け付けており、エリア情報記憶部４１ａが移動機１０ａの移動機情報を記憶し、ＭＳＣ／ＶＬＲ３０ｂが移動機１０ｂからの第１位置登録を受け付けており、エリア情報記憶部４１ｂが移動機１０ｂの移動機情報を記憶している状態を例にとって説明する。
【００３０】
着信有無記憶部４２ａ，４２ｂは、エリア情報記憶部４１ａ，４１ｂが移動機情報を記憶する移動機に対する着信であって、移動機が応答できなかった着信の有無を記憶する。着信有無記憶部４２ａ，４２ｂは、移動機識別情報と、応答できなかった着信の有無とを対応付けて記憶する。図２に、着信有無記憶部４２ａの一例を示す。着信有無記憶部４２ａは、エリア情報記憶部４１ａが記憶する移動機のＩＭＵＩと、応答できなかった着信の有無を示すフラグとを対応付けて記憶する。フラグは、「オン」が応答できなかった着信があることを示し、「オフ」がなかったことを示す。初期状態ではフラグはオフになっている。
【００３１】
ＭＳＣ５０ａ，５０ｂは、無線アクセスネットワーク２０ａと接続する交換機である。ここでは、ＭＳＣ５０ａを例にとって説明するが、ＭＳＣ５０ｂも同様の構成を備える。ＭＳＣ５０ａは、ＨＬＲ／ＳＣＦ６０やＧＭＳＣ９０とのインタフェースであるＩ／Ｆ５１と、発着信制御部５２と、無線アクセスネットワーク２０ａとのインタフェースであるＩ／Ｆ５３と、メッセージ記憶部５４と、メッセージ提供部５５と、着信有無登録部５６と、要求処理部５７とを備える。
【００３２】
発着信制御部５２は、移動機からの発信、移動機に対する着信に関する制御する。図３と図１を用いて着信処理として、ＭＳＣ／ＶＬＲ３０が行う部分を説明する。例えば、ＧＭＳＣ９０に移動機１０ａに対する回線設定要求１が到着し、移動機１０ａに対する着信があると、発着信制御部５２は、ＧＭＳＣ９０からの移動機１０ａの呼び出し要求３ａをＩ／Ｆ５１を介して取得する。呼び出し要求３ａには、移動機１０ａの移動機識別情報、着信に関する情報が含まれる。発着信制御部５２は、エリア情報記憶部４１ａを参照し、ＭＳＣ／ＶＬＲ３０ａが担当する全てのエリアに位置登録を行っている移動機にページング要求４を、Ｉ／Ｆ５３を介して提供する。
【００３３】
発着信制御部５２は、例えば、呼び出し要求３ａに含まれる移動機識別情報が付与されている移動機１０ａが圏外にいる等の理由により、一定時間経過しても、移動機１０ａからのページング応答を取得できない場合には、移動機１０ａが着信に応答できないと判断する。そして、発着信制御部５２は、呼び出し応答３ｂとして、移動機１０ａが着信に応答できないことを通知するものを、Ｉ／Ｆ５１を介してＧＭＳＣ９０に提供する。呼び出し応答３ｂには、移動機１０ａの移動機識別情報が含まれる。更に、発着信制御部５２は、着信に応答できないと判断した移動機１０ａの移動機識別情報を着信有無登録部５６に入力する。
【００３４】
尚、発着信制御部５２は、Ｉ／Ｆ５３を介して移動機１０ａからのページング応答を取得した場合には、呼び出し応答３ｂとして、移動機１０ａが着信に応答できることを通知するものを、Ｉ／Ｆ５１を介してＧＭＳＣ９０に提供する。又、呼び出し要求３ａ、呼び出し応答３ｂは、ＨＬＲ／ＳＣＦ６０を介して、ＧＭＳＣ９０とＭＳＣ／ＶＬＲ３０との間でやりとりされる。
【００３５】
更に、発着信制御部５２は、所定時間ページング応答を取得できない移動局については、長時間圏外にいるか長時間電源が切断されている状態（以下「Purge状態」という）であると判断する。そして、発着信制御部５２は、その移動機情報をエリア情報記憶部４１ａから削除する。更に、発着信制御部５２は、エリア情報記憶部４１ａから移動機情報を削除した移動機の移動機識別情報を含む削除通知を作成してＩ／Ｆ５１に入力し、Ｉ／Ｆ５１を介してＨＬＲ／ＳＣＦ６０に提供する。
【００３６】
着信有無登録部５６は、着信有無記憶部４２ａに、エリア情報記憶部４１ａが移動機情報を記憶する移動機に対する着信であって、移動機が応答できなかった着信の有無を登録する。着信有無登録部５６は、発着信制御部５２から、発着信制御部５２が着信に応答できないと判断した移動機の移動機識別情報を取得する。例えば、図３の場合、着信有無登録部５６は、移動機１０ａの移動機識別情報を取得する。
【００３７】
これにより、着信有無登録部５６は、エリア情報記憶部４１ａが移動機情報を記憶する移動機１０ａに対する着信であって、移動機１０ａが応答できなかった着信があったことを検出する。そして、着信有無登録部５６は、例えば、図２に示す着信有無記憶部４２ａにおける移動機１０ａのＩＭＵＩと対応付けられているフラグを、「オフ」から「オン」に変更する。尚、着信有無登録部５６は、移動機１０ａが着信に応答できた場合には、発着信制御部５２から移動機識別情報が入力されないため、応答できなかった着信があったことだけを検出できる。
【００３８】
要求処理部５７は、移動機からの第１位置登録要求を処理する。具体的には、要求処理部５７は、第１位置登録要求に含まれる移動機情報をエリア情報記憶部４１ａが記憶するか否かを判断し、移動機が応答可能になったことを通知する復帰通知、又は、移動機が位置登録を行っているＭＳＣ／ＶＬＲと移動機との対応付けをＨＬＲ／ＳＣＦ６０に要求する第２位置登録要求を、判断結果に応じてＨＬＲ／ＳＣＦ６０に提供する。
【００３９】
ここで、図４、５と図１を用い、上記したように、ＭＳＣ／ＶＬＲ３０ａのエリア情報記憶部４１ａが移動機１０ａの移動機情報を記憶し、ＭＳＣ／ＶＬＲ３０ｂのエリア情報記憶部４１ｂが移動機１０ｂの移動機情報を記憶している状態において、ＭＳＣ／ＶＬＲ３０が行う処理を例にとって説明する。
【００４０】
まず、図４に示すように、移動機１０ｂがＭＳＣ／ＶＬＲ３０ａに第１位置登録要求６ａを送信する場合を説明する。要求処理部５７は、Ｉ／Ｆ５３を介して移動機１０ｂから第１位置登録要求６ａを取得する。第１位置登録要求６ａには、移動機情報として、移動機識別情報と、エリア識別情報が含まれる。要求処理部５７は、第１位置登録要求６ａに含まれる移動機識別情報に基づいてエリア情報記憶部４１ａを検索し、第１位置登録要求６ａに含まれる移動機情報をエリア情報記憶部４１ａが記憶するか否かを判断する。
【００４１】
要求処理部５７は、エリア情報記憶部４１ａが移動機１０ｂの移動機情報を記憶していないため、第１位置登録要求６ａに含まれる移動機１０ｂの移動機識別情報と、エリア識別情報とを対応付けて、移動機情報としてエリア情報記憶部４１ａに新たに登録する。これにより、移動機１０ｂが新たにＭＳＣ／ＶＬＲ３０ａに位置登録される。
【００４２】
更に、要求処理部５７は、移動機１０ｂが新たに位置登録を行ったエリア管理装置であるＭＳＣ／ＶＬＲ３０ａと、移動機１０ｂとの対応付けを要求する第２位置登録要求６ｂを、Ｉ／Ｆ５１を介してＨＬＲ／ＳＣＦ６０に提供する。具体的には、要求処理部５７は、新たに位置登録した移動機１０ｂの移動機識別情報と、ＭＳＣ／ＶＬＲ３０ａの管理装置識別情報が含まれる第２位置登録要求６ｂを作成し、Ｉ／Ｆ５１に入力することにより、第２位置登録要求６ｂをＨＬＲ／ＳＣＦ６０に提供する。
【００４３】
次に、図５に示すように、移動機１０ａがＭＳＣ／ＶＬＲ３０ａに第１位置登録要求６ｃを送信する場合を説明する。要求処理部５７は、図４の場合と同様にして、移動機１０ａからの第１位置登録要求６ｃを取得し、第１位置登録要求６ｃに含まれる移動機情報をエリア情報記憶部４１ａが記憶するか否かを判断する。
【００４４】
要求処理部５７は、エリア情報記憶部４１ａが移動機１０ａの移動機情報を記憶しているため、移動機１０ａは既にＭＳＣ／ＶＬＲ３０ａに位置登録されていると判断する。そして、要求処理部５７は、エリア情報記憶部４１ａが記憶する移動機１０ｂの移動機識別情報と対応付けられているエリア識別情報と、第１位置登録要求６ｃに含まれるエリア識別情報とを比較し、変更があれば、新たなエリア識別情報をエリア情報記憶部４１ａに登録して、更新する。
【００４５】
このとき、ＨＬＲ／ＳＣＦ６０に登録されている移動機１０ａとＭＳＣ／ＶＬＲ３０ａとの対応付けには変更がない。そのため、要求処理部５７は、図４の場合のように第２位置登録要求は提供しない。ここで、移動機は、電源が切断されているときや、圏外にいるときには着信に応答できない。その後、移動機が、電源を投入したり、圏内復帰したりすると、第１位置登録要求を送信する。そのため、要求処理部５７は、第１位置登録要求を取得することにより、その移動機が着信に応答可能になったことを検出できる。同様に、ＨＬＲ／ＳＣＦ６０も、第２位置登録要求を取得することにより、その移動機が着信に応答可能になったことを検出できる。
【００４６】
しかし、図５に示す場合には、第２位置登録要求が提供されないため、このままでは、ＨＬＲ／ＳＣＦ６０は移動機１０ａが応答可能になったことを検出できない。そのため、ＭＳＣ／ＶＬＲ３０ａは、移動機１０ａが着信に応答可能になったことを通知する復帰通知７を、Ｉ／Ｆ５１を介してＨＬＲ／ＳＣＦ６０に提供する。具体的には、要求処理部５７は、第１位置登録要求６ｃに含まれる移動機１０ａの移動機識別情報を含む復帰通知７を作成し、Ｉ／Ｆ５１に入力することにより復帰通知７をＨＬＲ／ＳＣＦ６０に提供する。
【００４７】
尚、要求処理部５７は、エリア情報記憶部４１ａが移動機１０ａの移動機情報を記憶しており、移動機１０ａは既にＭＳＣ／ＶＬＲ３０ａに位置登録されていると判断した場合に、更に、着信有無記憶部４２ａが記憶している応答できなかった着信の有無に基づいて復帰通知７を提供することが好ましい。この場合、要求処理部５７は、第１位置登録要求６ｃに含まれる移動機１０ａの移動機識別情報に基づいて、着信有無記憶部４２ａを検索し、移動機１０ａが応答できなかった着信の有無を取得する。要求処理部５７は、移動機１０ａが応答できなかった着信があるときだけ復帰通知７を提供する。具体的には、要求処理部５７は、移動機１０ａのフラグが「オフ」になっている場合には復帰通知７を作成しない。要求処理部５７は、移動機１０ａのフラグが「オン」になっている場合にだけ、復帰通知７を作成し、Ｉ／Ｆ５１に入力する。
【００４８】
図４に示すような処理は、例えば、移動機１０ｂが、移動機１０ｂが位置登録を行っていたＭＳＣ／ＶＬＲ３０ｂ、即ち、第１位置登録要求６ａを送信する直前に在圏していたエリア（以下「最終在圏エリア」という）を担当していたＭＳＣ／ＶＬＲ３０ｂと異なるＭＳＣ／ＶＬＲ３０ａに、新たに位置登録を要求する場合に行われる。
【００４９】
一方、図５に示すような処理は、例えば、移動機１０ａが、移動機１０ａが位置登録を行っていた最終在圏エリアを担当していたＭＳＣ／ＶＬＲ３０ａに、新たに位置登録を要求する場合に行われる。即ち、最終在圏エリアを担当していたＭＳＣ／ＶＬＲに変更がない場合に行われる。
【００５０】
メッセージ提供部５５は、ＨＬＲ／ＳＣＦ６０から着信情報を取得し、着信情報を含むメッセージを作成して移動機に提供する。例えば、図４の場合には、要求処理部５７が提供した第２位置登録要求６ｂに応じて、ＨＬＲ／ＳＣＦ６０から着信情報が提供される。又、図５の場合には、要求処理部５７が提供した復帰通知７に応じて、ＨＬＲ／ＳＣＦ６０から着信情報が提供される。そして、メッセージ提供部５５は、Ｉ／Ｆ５１を介してＨＬＲ／ＳＣＦ６０から着信情報を取得し、取得した着信情報を含むメッセージを作成する。移動機１０ａ，１０ｂに関する着信情報はそれぞれ、移動機１０ａ，１０ｂの移動機識別情報と対応づけられて提供される。
【００５１】
メッセージ提供部５５は、メッセージとして、例えば、ショートメッセージを作成する。ショートメッセージは、ショートメッセージサービス（Short Message Service、以下「ＳＭＳ」という）により提供されるメッセージである。メッセージ提供部５５は、例えば、着信情報をテキストデータとして含むショートメッセージを作成する。着信情報には、例えば、着信の有無、発信元に関する情報、着信時間等がある。発信元に関する情報としては、例えば、発信元の電話番号やアドレス、発信元が電話番号やアドレスを設定していない非通知設定等がある。着信時間は、コアネットワーク２０ｂに呼が到着した時間を示す情報である。着信時間は、日付、曜日、時間、分等を用いて表すことができる。尚、メッセージ提供部５５は、着信情報として、発信元に関する情報や着信時間等を含むメッセージを作成し、より詳細な着信情報を移動機に提供することが好ましい。
【００５２】
図６に、移動機１０ａに提供するメッセージ８ａの一例を示す。メッセージ提供部５５は、送信者と着信情報を含むメッセージ８ａを作成する。送信者には、メッセージ８ａの送信元であり、ＳＭＳを提供する通信事業者名が設定される。着信情報には、着信時間と発信元に関する情報が着信毎に設定される。図６では、発信元に関する情報として、発信元の電話番号「０９０１２３４５６７８」や、非通知設定「User unset」が設定されている。又、着信時間は、日付、時間、分を用いて表されている。
【００５３】
メッセージ提供部５５は、作成したメッセージを、ＨＬＲ／ＳＣＦ６０から取得した着信情報に対応付けられていた移動機識別情報と対応づけて、メッセージ記憶部５４に登録する。メッセージ記憶部５４は、メッセージをその提供先を示す移動機識別情報と対応付けて記憶する。そして、メッセージ提供部５５は、メッセージをＩ／Ｆ５３に入力し、Ｉ／Ｆ５３を介して移動機に提供する。このようなメッセージ提供部５５によれば、移動機１０ａ，１０ｂの利便性が高く、より確実なメッセージ形式で着信情報を移動機１０ａ，１０ｂに提供できる。
【００５４】
このとき、メッセージ提供部５５は、ＳＭＳによりメッセージを提供することが好ましい。即ち、メッセージ提供部５５は、回線交換方式によりメッセージを移動機に提供することが好ましい。これにより、メッセージ提供部５５は、移動機がメッセージを受信できる状態にあるときに、メッセージを移動機に提供することができる。よって、メッセージ提供部５５は、移動機により確実に着信情報を提供でき、移動機がメッセージを確認できるときにリアルタイムで着信情報を提供できる。
【００５５】
メッセージ提供部５５は、Ｉ／Ｆ５３を介して移動機から、提供したメッセージに対するａｃｋ（肯定応答）を取得することにより、移動機がメッセージを受信できたことを検出する。メッセージ提供部５５は、受信完了を検出すると、メッセージ記憶部５４から該当するメッセージを削除する。
【００５６】
一方、メッセージ提供部５５は、一定時間経過してもａｃｋを取得できないことにより、メッセージの提供に失敗したことを検出する。例えば、移動機が直ぐに圏外に移動してしまい、応答できない状態に戻ってしまった場合等は、メッセージの提供に失敗してしまう。メッセージ提供部５５は、提供失敗を検出した場合には、メッセージ記憶部５４から該当するメッセージを削除してもよく、削除せずに残しておいてもよい。
【００５７】
提供に失敗したときにメッセージ記憶部５４からメッセージを削除する場合、移動機が次に応答できる状態になったときに、メッセージ提供部５５はＨＬＲ／ＳＣＦ６０から、提供に失敗したメッセージに含めていた着信情報と、失敗してから次に応答できる状態になるまでの間の着信情報とを一括して取得し、それらの着信情報、即ち、移動機に提供されていない全ての着信情報を含む１つのメッセージを新たに作成できる。よって、メッセージ提供部５５は、着信情報を一括して移動機に提供でき、移動機の利便性を向上でき、移動機及び無線アクセスネットワーク２０ａの負荷を軽減できるメリットがある。
【００５８】
一方、提供に失敗したときにメッセージ記憶部５４からメッセージを削除しない場合、移動機が次に応答できる状態になったときに、メッセージ提供部５５はＨＬＲ／ＳＣＦ６０から、失敗してから次に応答できる状態になるまでの間の着信情報だけを取得し、提供に失敗したメッセージに加えて、その後の着信情報を含む別のメッセージを新たに作成できる。この場合、メッセージ提供部５５は、着信情報を複数のメッセージに分けて移動機に提供することになるが、新たなメッセージとして、提供失敗後の着信情報だけを含むメッセージを作成すればよいので、メッセージ作成処理自体の負荷を軽減できるメリットがある。
【００５９】
更に、メッセージ提供部５５は、ＨＬＲ／ＳＣＦ６０に、ＨＬＲ／ＳＣＦ６０が記憶する着信情報の削除を要求する。メッセージ提供部５５は、削除を要求する着信情報に対応付けられていた移動機識別情報を含む削除要求を作成し、Ｉ／Ｆ５１に入力することにより削除要求をＨＬＲ／ＳＣＦ６０に提供する。
【００６０】
メッセージ提供部５５は、例えば、ＨＬＲ／ＳＣＦ６０から着信情報を取得した際、着信情報を含むメッセージを作成し、メッセージ記憶部５４に登録した際、着信情報を含むメッセージを移動機に提供した際、移動機からａｃｋを取得し、移動機がメッセージを受信したことを検出した際等に、削除要求をＨＬＲ／ＳＣＦ６０に提供する。
【００６１】
尚、メッセージ提供部５５は、メッセージの提供失敗を検出した場合に、メッセージ記憶部５４から該当するメッセージを削除してしまう場合には、移動機がメッセージを受信したことを検出した後に、ＨＬＲ／ＳＣＦ６０に着信情報の削除を要求するようにする。これにより、ＨＬＲ／ＳＣＦ６０は、提供に失敗したメッセージに含めていた着信情報を記憶したままとなる。そのため、次に応答できる状態になったときに、ＨＬＲ／ＳＣＦ６０は、提供に失敗したメッセージに含めていた着信情報と、失敗してから次に応答できる状態になるまでの間の着信情報とをまとめて記憶しておくことができる。よって、メッセージ提供部５５は、移動機に提供されていない全ての着信情報をまとめて取得できる。
【００６２】
一方、メッセージ提供部５５は、メッセージの提供失敗を検出した場合に、メッセージ記憶部５４から該当するメッセージを削除しない場合には、ＨＬＲ／ＳＣＦ６０から着信情報を取得した際や、着信情報を含むメッセージを作成し、メッセージ記憶部５４に登録した際に、ＨＬＲ／ＳＣＦ６０に着信情報の削除を要求するようにしてもよい。これにより、ＨＬＲ／ＳＣＦ６０は、提供に失敗したメッセージに含めていた着信情報は削除することになる。そのため、次に応答できる状態になったときに、ＨＬＲ／ＳＣＦ６０は、失敗してから次に応答できる状態になるまでの間の着信情報だけを記憶しておくことができる。よって、メッセージ提供部５５は、提供失敗後の着信情報だけを取得でき、やりとりする情報量を削減できる。
【００６３】
図７に、移動機１０ａがメッセージを受信したことを検出した際の処理を一例として示す。メッセージ提供部５５は、移動機１０ａにメッセージ８ａを提供後、ａｃｋ８ｂを移動機１０ａから取得し、メッセージの受信完了を検出する。そして、メッセージ提供部５５は、移動機１０ａの移動機識別情報を含む削除要求９を、Ｉ／Ｆ５１を介してＨＬＲ／ＳＣＦ６０に提供する。
【００６４】
次に、ＨＬＲ／ＳＣＦ６０について詳細に説明する。ＨＬＲ／ＳＣＦ６０は、ＨＬＲ８０と、ＳＣＦ７０とを備える。ＨＬＲ８０は、ＭＳＣ／ＶＬＲと移動機との対応付けや、着信情報を記憶するデータベースである。ＨＬＲ８０は、対応情報記憶部８１と、着信情報記憶部８２とを備える。
【００６５】
対応情報記憶部８１は、移動機識別情報と、ＭＳＣ／ＶＬＲの管理装置識別情報とを対応付けて記憶する。対応情報記憶部８１は、移動通信システム１００が提供する移動通信サービスに加入している全ての移動機の移動機識別情報を、予め記憶している。又、移動機がPurge状態のとき等、移動機識別情報に対応付けるべき管理装置識別情報がない場合には、その移動機識別情報に対応する管理装置識別情報のフィールドにはＮｕｌｌ値が設定され、対応情報記憶部８１は管理装置識別情報を記憶しない。
【００６６】
着信情報記憶部８２は、移動機が応答できない間のその移動機に対する着信に関する着信情報を記憶する。着信情報記憶部８２は、移動機識別情報に対応付けて着信情報を記憶する。図８に、着信情報記憶部８２の一例を示す。着信情報記憶部８２は、ＩＭＵＩと、活性状態と、移動機が応答できない間の着信情報とを対応付けて記憶する。活性状態は、移動機毎に、その着信情報の着信情報記憶部８２への登録を行っているか否かを示す。活性状態には、着信情報の登録を行っている状態を示す「活性」と、登録を行っていない状態を示す「不活性」がある。活性状態は、初期状態では「不活性」となっている。図８では、ＩＭＵＩ＝１２３４５６７８の移動機について活性状態が「活性」となっており、その着信情報の登録を行っていることを示している。
【００６７】
ＳＣＦ７０は、移動機からの発信、移動機に対する着信に関する制御、移動機とＭＳＣ／ＶＬＲとの対応付け、着信情報の記憶や提供といった様々な制御を行うサービス制御装置である。ＳＣＦ７０は、ＭＳＣ／ＶＬＲ３０ａ，３０ｂやＧＭＳＣ９０とのインタフェースであるＩ／Ｆ７１と、発着信制御部７２と、着信情報登録部７３と、要求処理部７４と、着信情報提供部７５とを備える。
【００６８】
発着信制御部７２は、移動機からの発信、移動機に対する着信に関する制御する。図３と図１を用いて着信処理として、ＨＬＲ／ＳＣＦ６０が行う部分を説明する。以下、移動機１０ａがＭＳＣ／ＶＬＲ３０ａに位置登録を行っており、対応情報記憶部８１が、移動機１０ａの移動機識別情報と、ＭＳＣ／ＶＬＲ３０ａの管理装置識別情報とを対応付けて記憶している状態を例にとって説明する。
【００６９】
まず、図３に示すように、ＧＭＳＣ９０に移動機１０ａに対する回線設定要求１が到着し、移動機１０ａに対する着信があると、発着信制御部７２は、ＧＭＳＣ９０からの活性状態問い合わせ２ａを、Ｉ／Ｆ７１を介して取得する。活性状態問い合わせ２ａには、着信のあった移動機１０ａの移動機識別情報が含まれる。
【００７０】
発着信制御部７２は、活性状態問い合わせ２ａに含まれる移動機識別情報に基づいて着信情報記憶部４１ａを検索し、移動機１０ａの活性状態を取得する。発着信制御部７２は、取得した活性状態を含む活性状態応答２ｂを、Ｉ／Ｆ７１を介してＧＭＳＣ９０に提供する。
【００７１】
次に、発着信制御部７２は、ＧＭＳＣ９０からの移動機１０ａの呼び出し要求３ａをＩ／Ｆ７１を介して取得する。発着信制御部７２は、呼び出し要求３ａに含まれる移動機識別情報に基づいて対応情報記憶部８１を検索し、対応付けられている管理装置識別情報を取得する。これにより、発着信制御部７２は、呼び出し要求３ａの対象となっている移動機１０ａが位置登録を行っているＭＳＣ／ＶＬＲ３０ａを検出する。発着信制御部７２は、ＧＭＳＣ９０からの呼び出し要求３ａを、検出したＭＳＣ／ＶＬＲ３０ａに転送する。そして、発着信制御部７２は、呼び出し応答３ｂを、Ｉ／Ｆ７１を介してＭＳＣ／ＶＬＲ３０ａから取得する。発着信制御部７２は、取得した呼び出し応答３ｂをＩ／Ｆ７１を介してＧＭＳＣ９０に転送する。
【００７２】
尚、発着信制御部７２は、対応情報記憶部８１が呼び出し要求３ａに含まれる移動機識別情報に対応付けられている管理装置識別情報を記憶していない場合には、その移動局はPurge状態であると判断する。そのため、発着信制御部７２は、この時点で移動機が着信に応答できないことを検出できる。よって、発着信制御部７２は、呼び出し要求の転送を行わずに、応答できないことを通知する呼び出し応答をＧＭＳＣ９０に提供する。
【００７３】
更に、発着信制御部７２は、Ｉ／Ｆ７１を介してＧＭＳＣ９０から起動／終了要求５を取得する。起動／終了要求５は、着信情報の着信情報記憶部８２への登録の開始又は終了を要求するものである。起動／終了要求５には、着信情報の登録開始又は登録終了の対象となる移動機の移動機識別情報が含まれる。起動／終了要求５を取得した発着信制御部７２は、起動／終了要求５に含まれる移動機識別情報を指定して、その移動機の着信情報の登録開始又は登録終了を、着信情報登録部７３に指示する。
【００７４】
具体的には、呼び出し応答３ｂが移動機１０ａが応答できないことを通知するものであり、着信情報記憶部８２の活性状態が「不活性」の場合、発着信制御部７２は、着信に応答できない状態にある移動機について、その着信情報の着信情報記憶部８２への登録開始を要求する起動／終了要求５を取得する。
【００７５】
一方、呼び出し応答３ｂが、移動機１０ａが応答できることを通知するものであり、着信情報記憶部８２の活性状態が「活性」の場合、発着信制御部７２は、着信に応答できるようになった移動機について、その着信情報の着信情報記憶部８２への登録の終了を要求する起動／終了要求５を取得する。
【００７６】
尚、発着信制御部７２は、ＧＭＳＣ９０から起動／終了要求５を取得しなくても、ＭＳＣ／ＶＬＲ３０ａからの呼び出し応答３ｂ等により、移動機１０ａが着信に応答できるか否かを検出できる。更に、発着信制御部７２は、着信情報記憶部８２を検索することにより、移動機１０ａの活性状態を検出できる。よって、発着信制御部７２は、ＭＳＣ／ＶＬＲ３０ａからの呼び出し応答３ｂと活性状態に基づいて、着信情報の登録開始又は登録終了を指示する必要があるか否か判断し、
移動機識別情報を指定して登録開始又は登録終了を着信情報登録部７３に指示するようにしてもよい。
【００７７】
更に、発着信制御部７２は、移動機が応答できなかった着信に関する着信情報を、移動機識別情報に対応付けて着信情報登録部７３に入力する。図３の場合、発着信制御部７２は、回線設定要求１の発信元に関する情報、回線設定要求１がコアネットワーク２０ｂに到着した時間等を、着信情報として着信情報登録部７３に入力する。発着信制御部７２は、呼び出し要求３ａに含まれる着信に関する情報や、発着信制御部７２が呼び出し要求３ａを取得した時間等に基づいて、着信情報を入力する。
【００７８】
例えば、発着信制御部７２は、発信元に関する情報を呼び出し要求３ａから取得し、着信情報登録部７３に入力する。又、発着信制御部７２は、呼び出し要求３ａにＧＭＳＣ９０が回線設定要求１を受信した時間が含まれていればそれを取得して、着信時間として着信情報登録部７３に入力する。発着信制御部７２は、着信時間が呼び出し要求３ａに含まれていない場合には、発着信制御部７２が呼び出し要求３ａを取得した時間を着信時間として着信情報登録部７３に入力する。
【００７９】
ここで、ＨＬＲ／ＳＣＦ６０が、ＧＭＳＣ９０とＭＳＣ／ＶＬＲ３０ａとの間でやりとりする呼び出し要求３ａと呼び出し応答３ｂ等について、図９を用いてより詳細に説明する。ＧＭＳＣ９０は、呼び出し要求３ａとして、実際には、ＳＲＩ（Send Routing Information、送信ルーティング情報）３１ａを、ＨＬＲ／ＳＣＦ６０に提供する。ＨＬＲ／ＳＣＦ６０は、ＭＳＣ／ＶＬＲ３０ａに呼び出し要求３ａを転送する際に、実際には、ＳＲＩ３１ａをＰＲＮ（Pursuit Routing Number、追跡ルーティング番号）３２ａに変更して、ＭＳＣ／ＶＬＲ３０ａに提供する。
【００８０】
ＨＳＣ／ＶＬＲ３０ａは、呼び出し応答３ｂとして、実際には、ＰＲＮ３２ａに対する応答であるＰＲＮ  ａｃｋ３２ｂを、ＨＬＲ／ＳＣＦ６０に提供する。ＨＬＲ／ＳＣＦ６０は、ＧＭＳＣ９０に呼び出し応答３ｂを転送する際に、実際には、ＰＲＮ  ａｃｋ３２ｂをＳＲＩ  ａｃｋ３１ｂに変更して、ＧＭＳＣ９０に提供する。又、ＨＬＲ／ＳＣＦ６０は、起動要求５として、例えば、Ｉｎｉｔｉａｌ ＤＰ（Detection Point）５ａ等を取得する。
【００８１】
着信情報登録部７３は、着信情報記憶部８２に移動機が応答できない間のその移動機に対する着信に関する着信情報を登録する。着信情報登録部７３は、発着信制御部７２から、移動機識別情報を指定した着信情報の登録開始又は登録終了の指示を受ける。着信情報登録部７３は、登録開始の指示に応じて、指定された移動機識別情報の移動機に関する着信情報の登録を開始し、登録終了の指示に応じて、指定された移動機識別情報の移動機に関する着信情報の登録を終了する。
【００８２】
又、着信情報登録部７３は、指定された移動機識別情報の着信情報記憶部８２における活性状態を、登録開始の指示の場合には「不活性」から「活性」に、登録終了の指示の場合には「活性」から「不活性」に変更する。
【００８３】
着信情報登録部７３は、活性状態が「活性」の間、発着信制御部７２から、移動機識別情報に対応付けられた、移動機が応答できなかった着信に関する着信情報を取得する。着信情報登録部７３は、移動機識別情報と対応付けて、取得した着信情報を着信情報記憶部８２に登録する。
【００８４】
更に、着信情報登録部７３は、着信情報記憶部８２から着信情報を削除する。着信情報登録部７３は、着信情報提供部７５から、移動機識別情報を指定した着信情報の削除の指示を受ける。着信情報登録部７３は、指定された移動機識別情報に対応付けられている着信情報を、着信情報記憶部８２から削除する。
【００８５】
要求処理部７４は、ＭＳＣ／ＶＬＲからの第２位置登録要求を処理する。図１と図４を用い、ＭＳＣ／ＶＬＲ３０ａから第２位置登録要求６ｂがＨＬＲ／ＳＣＦ６０に提供される場合を例にとって、ＨＬＲ／ＳＣＦ６０が行う処理を説明する。要求処理部７４は、ＭＳＣ／ＶＬＲ３０ａからの第２位置登録要求６ｂを、Ｉ／Ｆ７１を介して取得する。このとき、対応情報記憶部８１は、移動機１０ｂの移動機識別情報に対応付けてＭＳＣ／ＣＬＲ３０ｂの管理装置識別情報を記憶している。そのため、要求処理部７４は、まず、取得した第２位置登録要求６ｂに含まれる移動機１０ｂの移動機識別情報に対応付けて、第２位置登録要求６ｂに含まれるＭＳＣ／ＶＬＲ３０ａの管理装置識別情報を対応情報記憶部８１に登録し、移動機１０ｂが位置登録を行っているＭＳＣ／ＶＬＲをＭＳＣ／ＶＬＲ３０ａに更新する。
【００８６】
更に、要求処理部７４は、更新前の対応情報記憶部８１が記憶していた管理装置識別情報が付与されているＭＳＣ／ＶＬＲ３０ｂに対して、第２位置登録要求６ｂに含まれる移動機１０ｂの移動機識別情報を指定して、その移動機情報を削除するように指示する。具体的には、要求処理部７４は、移動機１０ｂの移動機識別情報を指定した移動機情報の削除指示を作成し、Ｉ／Ｆ７１に入力することにより、Ｉ／Ｆ７１を介してＭＳＣ／ＶＬＲ３０ｂに削除指示を提供する。そして、要求処理部７４は、第２位置登録要求６ｂを着信情報提供部７５に入力する。
【００８７】
又、要求処理部７４は、移動機がPurge状態のときに、ＭＳＣ／ＶＬＲから移動機情報を削除した移動機の移動機識別情報を含む削除通知をＩ／Ｆ７１を介して取得した場合、その移動機識別情報に対応付けられている管理装置識別情報を対応情報登録部８１から削除する。
【００８８】
着信情報提供部７５は、ＭＳＣ／ＶＬＲから提供される復帰通知又は第２位置登録要求に基づいて着信情報記憶部８２から着信情報を取得し、移動機に提供する。図１と図４、５を用い、図４に示したＭＳＣ／ＶＬＲ３０ａから第２位置登録要求６ｂがＨＬＲ／ＳＣＦ６０に提供される場合と、図５に示したＭＳＣ／ＶＬＲ３０ａから復帰通知７がＨＬＲ／ＳＣＦ６０に提供される場合を例にとって、ＨＬＲ／ＳＣＦ６０が行う処理を説明する。
【００８９】
図４の場合、着信情報提供部７５は、要求処理部７４から、ＭＳＣ／ＶＬＲ３０ａからの第２位置登録要求６ｂを取得する。これにより、着信情報提供部７５は、移動機１０ｂが着信に応答可能になったことを検出する。着信情報提供部７５は、第２位置登録要求６ｂに含まれる移動機１０ｂの移動機識別情報に基づいて、着信情報記憶部８２を検索し、移動機１０ｂが応答できなかった間の移動機１０ｂの着信情報を取得する。着信情報提供部７５は、取得した移動機１０ｂへの着信情報８をＩ／Ｆ７１に入力し、Ｉ／Ｆ７１を介してＭＳＣ／ＶＬＲ３０ａに提供する。このようにして、着信情報提供部７５は、ＭＳＣ／ＶＬＲ３０ａを介して移動機１０ｂにその着信情報を提供する。このように、着信情報提供部７５が着信情報を移動機に提供する方法は限定されない。
【００９０】
図５の場合、着信情報提供部７５は、Ｉ／Ｆ７１を介してＭＳＣ／ＶＬＲ３０ａからの復帰通知７を取得する。これにより、着信情報提供部７５は、移動機１０ａが着信に応答可能になったことを検出する。着信情報提供部７５は、復帰通知７に含まれる移動機１０ａの移動機識別情報に基づいて、着信情報記憶部８２を検索し、移動機１０ａが応答できなかった間の移動機１０ａの着信情報を取得する。着信情報提供部７５は、取得した移動機１０ａへの着信情報８をＩ／Ｆ７１を介してＭＳＣ／ＶＬＲ３０ａに提供することにより、移動機１０ａにその着信情報を提供する。
【００９１】
着信情報提供部７５は、移動機に提供した着信情報の着信情報記憶部８２からの削除を着信情報登録部７３に指示する。着信情報提供部７５は、着信情報を提供したことを契機に着信情報の削除を指示してもよく、図７に示したように、ＭＳＣ／ＶＬＲからの削除要求９に従って着信情報の削除を指示してもよい。但し、ＭＳＣ／ＶＬＲがメッセージの移動機への提供失敗を検出した場合に、メッセージを削除してしまう場合には、着信情報提供部７５は、削除要求９に従って削除を指示するようにする。着信情報提供部７５は、ＭＳＣ／ＶＬＲからの削除要求はＩ／Ｆ７１を介して取得する。
【００９２】
次に、ＧＭＳＣ９０について詳細に説明する。図１に示すように、ＧＭＳＣ９０は、ＨＬＲ／ＳＣＦ６０やＭＳＣ／ＶＬＲ３０ａ，３０ｂとのインタフェースであるＩ／Ｆ９１と、制御部９２と、ネットワーク２０ｃとのインタフェースであるＩ／Ｆ９３とを備える。
【００９３】
制御部９２は、移動機からの発信、移動機に対する着信に関する制御を行う。図１と図３を用いて、ＧＭＳＣ９０が行う着信処理について説明する。まず、制御部９２は、Ｉ／Ｆ９３を介して移動機１０ａに対する回線設定要求１等の呼を取得する。着信があると、制御部９２は、まず、活性状態問い合わせ２ａをＩ／Ｆ９１を介してＨＬＲ／ＳＣＦ６０に提供し、活性状態応答２ｂをＩ／Ｆ９１を介して取得する。これにより、制御部９２は、ＨＬＲ／ＳＣＦ６０の活性状態を検出する。その後、制御部９２は、呼び出し要求３ａをＩ／Ｆ９１を介してＨＬＲ／ＳＣＦ６０に提供し、呼び出し応答３ｂをＩ／Ｆ９１を介して取得する。これにより、制御部９２は、着信があった移動機１０ａが応答可能であるかを検出して、着信を処理できる。
【００９４】
制御部９２は、活性状態として「不活性」を検出していた場合に、移動機１０ａが着信に応答できないであることを検出したときは、移動機１０ａの着信情報の着信情報記憶部８２への登録開始を要求する起動／終了要求５をＩ／Ｆ９１を介してＨＬＲ／ＳＣＦ６０に提供する。一方、制御部９２は、活性状態として「活性」を検出していた場合に、移動機１０ａが着信に応答できる状態になっていることを検出したときは、移動機１０ａの着信情報の着信情報記憶部８２への登録の終了を要求する起動／終了要求５をＩ／Ｆ９１を介してＨＬＲ／ＳＣＦ６０に提供する。尚、ＨＬＲ／ＳＣＦ６０の発着信制御部７２が着信情報の着信情報記憶部８２への登録開始又は登録終了を指示する場合には、制御部９２は活性状態の問い合わせを省略できる。
【００９５】
〔着信情報提供方法〕
次に、図１に示した移動通信システム１００における着信情報提供方法を図１０を用いて説明する。図１０に示すように、ＧＭＳＣ９０は、ネットワーク２０ｃから移動機１０ａに対する呼を受信し、着信が行われる（Ｓ１０１）。ＧＭＳＣ９０は、ＨＬＲ／ＳＣＦ９０に活性状態を問い合わせ、移動機１０ａに関する活性状態として「不活性」を取得する（Ｓ１０２）。ＧＭＳＣ９０は、ＨＬＲ／ＳＣＦ６０を介してＭＳＣ／ＶＬＲ３０ａに移動機１０ａの呼び出し要求を提供する（Ｓ１０３）。そして、ＭＳＣ／ＶＬＲ３０ａは、移動機１０ａを含む担当エリア内の全ての移動機にページング要求を提供する（Ｓ１０４）。
【００９６】
ＭＳＣ／ＶＬＲ３０ａは、移動機１０ａからのページング応答を取得できないことから、移動機１０ａが着信に応答できないことを検出する。そして、ＭＳＣ／ＶＬＲ３０ａは、移動機１０ａが応答できなかった着信があったことを、着信有無記憶部４２ａに登録する（Ｓ１０５）。ＭＳＣ／ＶＬＲ３０ａは、移動機１０ａが着信に応答できないことを通知する呼び出し応答を、ＨＬＲ／ＳＣＦ６０を介してＧＭＳＣ９０に提供する（Ｓ１０６）。
【００９７】
ＧＭＳＣ９０は、活性状態が「不活性」であることから、着信情報の登録開始を要求する起動／終了要求をＨＬＲ／ＳＣＦ６０に提供する（Ｓ１０７）。ＨＬＲ／ＳＣＦ６０は、着信情報記憶部８２の活性状態を「活性」に更新し、移動機１０ａの着信情報を登録する（Ｓ１０８）。ここで、ＭＳＣ／ＶＬＲ３０ｂに位置登録を行っていた移動機１０ｂも着信に対する応答ができずに、ＨＬＲ／ＳＣＦ６０がその着信情報を着信情報記憶部８２に記憶しているものとする。
【００９８】
その後、移動機１０ａ，１０ｂが、ＭＳＣ／ＶＬＲ３０ａが担当するエリアに圏内復帰すると、第１位置登録要求をＭＳＣ／ＶＬＲ３０ａに提供する（Ｓ１０９）。ＭＳＣ／ＶＬＲ３０ａは、移動機１０ａ，１０ｂの移動機情報をエリア情報記憶部４１ａが記憶するか否かを判断する（Ｓ１１０）。ＭＳＣ／ＶＬＲ３０ａは、最終在圏エリアと異なるエリアに圏内復帰したため、移動機情報を記憶していない移動機１０ｂについては、第２位置登録要求をＨＬＲ／ＳＣＦ６０に提供する（Ｓ１１１）。
【００９９】
一方、ステップ（Ｓ１１０）において、ＭＳＣ／ＶＬＲ３０ａは、最終在圏エリアと同じエリアに圏内復帰したため、移動機情報を記憶している移動機１０ａについては、着信有無記憶部４２ａが移動機１０ａが応答できなかった着信があったことを記憶しているか否かを判断する（Ｓ１１２）。ＭＳＣ／ＶＬＲ３０ａは、着信があったことを記憶しているため、復帰通知をＨＬＲ／ＳＣＦ６０に提供する（Ｓ１１３）。一方、ＭＳＣ／ＶＬＲ３０ａは、着信があったことを記憶していない場合にはそのまま処理を終了する。
【０１００】
ＨＬＲ／ＳＣＦ６０は、ＭＳＣ／ＶＬＲ３０ａから提供された復帰通知又は第２位置登録要求に基づいて、着信情報記憶部８２から移動機１０ａ，１０ｂが応答できなかった間の着信情報を移動機１０ａ，１０ｂに提供するために、ＭＳＣ／ＶＬＲ３０ａに提供する（Ｓ１１４）。ＭＳＣ／ＶＬＲ３０ａは、取得した着信情報を含むメッセージを作成する（Ｓ１１５）。ＭＳＣ／ＶＬＲ３０ａは、作成したメッセージを移動機３０ａ，３０ｂに提供する（Ｓ１１６）。このようにして、ＨＬＲ／ＳＣＦ６０からＭＳＣ／ＶＬＲ３０ａを介して、着信情報が移動機１０ａ，１０ｂに提供される。
【０１０１】
ＭＳＣ／ＶＬＲ３０ａは、移動機１０ａ，１０ｂに提供した着信情報の削除要求をＨＬＲ／ＳＣＦ６０に提供する（Ｓ１１７）。ＨＬＲ／ＳＣＦ６０は、削除要求に応じて、移動機１０ａ，１０ｂの着信情報を着信情報記憶部８２から削除する（Ｓ１１８）。
【０１０２】
〔効果〕
このような移動通信システム１００、ＭＳＣ／ＶＬＲ３０ａ，３０ｂ、ＨＬＲ／ＳＣＦ６０及び着信情報提供方法によれば、図５に示したように第１位置登録要求に含まれる移動機情報をエリア情報記憶部４１ａが記憶する場合、即ち、移動機１０ａが同じＭＳＣ／ＶＬＲ３０ａに第１位置登録要求６ｃを送信し、第２位置登録要求がＨＬＲ／ＳＣＦ６０に提供されない場合には、ＭＳＣ／ＶＬＲ３０ａが復帰通知７をＨＬＲ／ＳＣＦ６０に提供できる。一方、図４に示したように第１位置登録要求６ａに含まれる移動機情報をエリア情報記憶部４１ａが記憶しない場合、即ち、移動機１０ａが位置登録を行っていたＭＳＣ／ＶＬＲ３０ｂと異なるＭＳＣ／ＶＬＲ３０ａに第１位置登録要求６ａを送信した場合には、ＭＳＣ／ＶＬＲ３０ａが第２位置登録要求６ｂをＨＬＲ／ＳＣＦ６０に提供できる。
【０１０３】
よって、ＨＬＲ／ＳＣＦ６０は、移動機が第１位置登録要求をどのＭＳＣ／ＶＬＲに送信した場合であっても、ＭＳＣ／ＶＬＲから提供される復帰通知又は第２位置登録要求のいずれかにより、移動機が新たに第１位置登録要求を送信し、応答可能な状態になったことを確実に検出できる。更に、ＨＬＲ／ＳＣＦ６０は、移動機が着信に応答できない間の着信情報を着信情報記憶部８２に登録し、記憶している。そのため、ＨＬＲ／ＳＣＦ６０は、復帰通知や第２登録要求に基づいて移動機が着信に応答できない間の着信情報を着信情報記憶部８２から取得し、応答可能な状態になった移動機に確実に提供できる。このようにコアネットワーク２０ｂが着信情報を管理して確実に移動機に提供できるため、移動機のユーザは、着信に応答できない間の着信情報を確実に確認でき、ユーザの利便性を向上できる。
【０１０４】
更に、ＭＳＣ／ＶＬＲ３０ａは、着信有無記憶部４２ａと、着信有無登録部５６とを備え、要求処理部５７は、着信有無記憶部４２ａが記憶する着信の有無に基づいて復帰通知を提供する、そのため、ＭＳＣ／ＶＬＲ３０ａは、移動機が応答できなかった着信の有無を着信有無記憶部４２ａに登録し、記憶できる。そして、ＭＳＣ／ＶＬＲ３０ａは、移動機が同じＭＳＣ／ＶＬＲ３０ａに第１位置登録要求を送信し、第２位置登録要求がＨＬＲ／ＳＣＦ６０に提供されない場合であって、かつ、その移動機が応答できなかった着信があるときにだけ、ＨＬＲ／ＳＣＦ６０に復帰通知を提供できる。よって、移動通信システム１００は、移動機が着信に応答できない間の着信情報がある場合にだけ、応答可能な状態になった移動機に確実に着信情報を提供できる。又、移動通信システム１００は、移動機が応答できなかった着信がない場合の復帰通知を省略できるため、ＭＳＣ／ＶＬＲ３０ａ，３０ｂ、ＨＬＲ／ＳＣＦ６０の制御負荷を低減できる。
【０１０５】
又、ＨＬＲ／ＳＣＦ６０が着信情報を記憶し、管理することにより、ＨＬＲ８０が予め記憶している移動機識別情報を利用できる、ＨＬＲ／ＳＣＦ６０であれば、Purge状態の場合であっても、移動機が着信に応答可能であるかを検出できる等の利点がある。
【０１０６】
〔変更例〕
尚、本発明は上記実施形態に限定されるものではなく種々の変更が可能である。図１に示した移動通信システム１００では、ＭＳＣ５０ａがメッセージ提供部５５を備え、ＭＳＣ５０ａがＨＬＲ／ＳＣＦ６０から移動機に提供された着信情報を含むメッセージを作成し、移動機に提供していたが、図１１に示すような移動通信システム２００としてもよい。
【０１０７】
移動通信システム２００では、ＩＷＭＳＣ（InterWorking MSC）２５５が、着信情報を含むメッセージを作成して移動機に提供するメッセージ提供部として機能し、ＳＭＳＣ（Short Message Service Center）２５４がメッセージを記憶するメッセージ記憶部として機能する。そのため、移動通信システム２００では、メッセージ記憶部５４を省略したＭＳＣ２５０ａを備えるＭＳＣ／ＶＬＲ２３０ａを用いることができる。同様に、ＭＳＣ／ＶＬＲ３０ｂに代えて、メッセージ記憶部を省略したＭＳＣ２５０ｂを備えるＭＳＣ／ＶＬＲ２３０ｂを用いることができる。
【０１０８】
この場合、図１２に示すように、ＨＬＲ／ＳＣＦ６０に第２位置登録要求６ｂが提供される場合も、又、図１３に示すように、ＨＬＲ／ＳＣＦ６０に復帰通知７が提供される場合も、ＨＬＲ／ＳＣＦ６０の着信情報提供部７５は、着信情報８をＩＷＭＳＣ２５５に提供する。そして、図１４に示すように、ＩＷＭＳＣ２５５が着信情報を含むメッセージ８ａを作成し、移動機識別情報と対応付けてＳＭＳＣ２５４に登録する。ＳＭＳＣ２５４は、移動機識別情報と対応付けてメッセージ８ａを記憶する。ＩＷＭＳＣ２５５は、ＳＭＳＣ２５４からメッセージ８ａを取得し、メッセージ８ａの提供先となる移動機１０ａが位置登録を行っているＭＳＣ／ＶＬＲを、ＨＬＲ／ＳＣＦ６０に問い合わせる。ＨＬＲ／ＳＣＦ６０の着信情報提供部７５が問い合わせに応答し、位置登録を行っているＭＳＣ／ＶＬＲ２３０ａの管理装置識別情報を通知する。ＩＷＭＳＣ２５５は、ＨＬＲ／ＳＣＦ６０から管理装置識別情報を通知されたＭＳＣ／ＶＬＲ２３０ａに、作成したメッセージ８ａを提供する。
【０１０９】
そして、ＭＳＣ／ＶＬＲ２３０ａのメッセージ提供部５５がメッセージ８ａを取得し、移動機１０ａに提供する。このように、ＩＷＭＳＣ２５５がメッセージを作成して提供する場合、メッセージ提供部５５は、メッセージを移動機１０ａに転送するだけでよい。ＭＳＣ／ＶＬＲ２３０ａのメッセージ提供部５５は、移動機１０ａからａｃｋ８ｂを取得すると、ＨＬＲ／ＳＣＦ６０に削除要求９を提供すると共に、ＩＷＭＳＣ２５５にも削除要求９ａを提供する。この削除要求９ａは、ＩＷＭＳＣ２５５にＳＭＳＣ２５４が記憶するメッセージ８ａの削除を要求するものである。これにより、ＩＷＭＳＣ２５５は、ＳＭＳＣ２５４からメッセージ８ａを削除する。尚、図１１〜図１４に示した移動通信システム２００において、図１、図４、図５、図７に示した移動通信システム１００と実質的に同様の構成については同一の符号を付して説明を省略する。
【０１１０】
図１１に示した移動通信システム２００における着信情報提供方法を図１５を用いて説明する。まず、図１０に示したステップ（Ｓ１０１）〜（Ｓ１１３）と同様のステップ（Ｓ２０１）〜（Ｓ２１３）が行われる。ＨＬＲ／ＳＣＦ６０は、復帰通知又は第２位置登録要求に基づいて、着信情報記憶部８２から移動機１０ａ，１０ｂが応答できなかった間の着信情報を移動機１０ａ，１０ｂに提供するために、ＩＷＭＳＣ２５５に提供する（Ｓ２１４）。ＩＷＭＳＣ２５５は、取得した着信情報を含むメッセージを作成する（Ｓ２１５）。
【０１１１】
ＩＷＭＳＣ２５５は、作成したメッセージをＳＭＳＣ２５４に登録する（Ｓ２１６）。ＳＭＳＣ２５４は、メッセージを記憶する（Ｓ２１７）。そして、ＩＷＭＳＣ２５５は、ＳＭＳＣ２５４からメッセージ８ａを取得し（Ｓ２１８）、メッセージ８ａの提供先となる移動機１０ａが位置登録を行っているＭＳＣ／ＶＬＲを、ＨＬＲ／ＳＣＦ６０に問い合わせる（Ｓ２１９）。そして、ＨＬＲ／ＳＣＦ６０が、ＭＳＣ／ＶＬＲ２３０ａを通知する応答を行う（Ｓ２２０）。
【０１１２】
ＩＷＭＳＣ２５５は、ＨＬＲ／ＳＣＦ６０から通知されたＭＳＣ／ＶＬＲ２３０ａに、作成したメッセージ８ａを提供する（Ｓ２２１）。そして、ＭＳＣ／ＶＬＲ２３０ａが移動機１０ａ，１０ｂにメッセージを提供する（Ｓ２２２）。ＭＳＣ／ＶＬＲ２３０ａは、ＨＬＲ／ＳＣＦ６０に削除要求９を提供する（Ｓ２２３）。ＨＬＲ／ＳＣＦ６０は、削除要求に応じて、移動機１０ａ，１０ｂの着信情報を着信情報記憶部８２から削除する（Ｓ２２４）。更に、ＭＳＣ／ＶＬＲ２３０ａは、ＩＷＭＳＣ２５５にも削除要求９ａを提供する（Ｓ２２５）。そして、ＩＷＭＳＣ２５５は、ＳＭＳＣ２５４からメッセージを削除する（Ｓ２２６）。
【０１１３】
このように移動通信システム２００では、ＨＬＲ／ＳＣＦ６０が、ＩＷＭＳＣ２５５、ＭＳＣ／ＶＬＲ２３０ａ，２３０ｂを介して着信情報を移動機１０ａ，１０ｂに提供できる。このような移動通信システム２００では、メッセージをＳＭＳＣ２５４が記憶し、メッセージの移動機への提供に失敗したときにＳＭＳＣ２５４からメッセージを削除しないようにできる。そのため、移動機が次に応答できる状態になったときに、ＩＷＭＳＣ２５５は、ＨＬＲ／ＳＣＦ６０から、失敗してから次に応答できる状態になるまでの間の着信情報だけを取得し、提供に失敗したメッセージに加えて、その後の着信情報を含む別のメッセージを新たに作成できる。この場合、ＩＷＭＳＣ２５５は、着信情報を複数のメッセージに分けて移動機に提供することになるが、新たなメッセージとして、提供失敗後の着信情報だけを含むメッセージを作成すればよいので、メッセージ作成処理自体の負荷を軽減できるメリットがある。
【図面の簡単な説明】
【０１１４】
【図１】本発明の実施の形態に係る移動通信システムの構成を示すブロック図である。
【図２】本発明の実施の形態に係る着信有無記憶部を示す図である。
【図３】本発明の実施の形態に係る着信処理を示す図である。
【図４】本発明の実施の形態に係る移動機が異なるＭＳＣ／ＶＬＲに第１位置登録要求を送信する場合の処理を示す図である。
【図５】本発明の実施の形態に係る移動機が同じＭＳＣ／ＶＬＲに第１位置登録要求を送信する場合の処理を示す図である。
【図６】本発明の実施の形態に係るメッセージを示す図である。
【図７】本発明の実施の形態に係るＭＳＣ／ＶＬＲによる着信情報の提供及び削除の要求を示す図である。
【図８】本発明の実施の形態に係る着信情報記憶部を示す図である。
【図９】本発明の実施の形態に係る呼び出し要求及び呼び出し応答を示す図である。
【図１０】本発明の実施の形態に係る着信情報提供方法の手順を示すフロー図である。
【図１１】本発明の変更例に係る移動通信システムの構成を示すブロック図である。
【図１２】本発明の変更例に係る移動機が異なるＭＳＣ／ＶＬＲに第１位置登録要求を送信する場合の処理を示す図である。
【図１３】本発明の変更例に係る移動機が同じＭＳＣ／ＶＬＲに第１位置登録要求を送信する場合の処理を示す図である。
【図１４】本発明の変更例に係るＩＷＭＳＣによる着信情報の提供を示す図である。
【図１５】本発明の変更例に係る着信情報提供方法の手順を示すフロー図である。
【図１６】従来の着信処理を示す図である。
【符号の説明】
【０１１５】
１０ａ，１０ｂ，３１０  移動機
２０ａ  無線アクセスネットワーク
２０ｂ  コアネットワーク
２０ｃ  ネットワーク
３０ａ，３０ｂ，２３０ａ，２３０ｂ，３３０  ＭＳＣ／ＶＬＲ
４０ａ，４０ｂ  ＶＬＲ
４１ａ，４１ｂ  エリア情報記憶部
４２ａ，４２ｂ  着信有無記憶部
５０ａ，５０ｂ，２５０ａ，２５０ｂ  ＭＳＣ
５１，５３，７１，９１，９３  Ｉ／Ｆ
５２，７２  発着信制御部
５４  メッセージ記憶部
５５  メッセージ提供部
５６  着信有無登録部
５７，７４  要求処理部
６０  ＨＬＲ／ＳＣＦ
７０  ＳＣＦ
７３  着信情報登録部
７５  着信情報提供部
８０  ＨＬＲ
８１  対応情報記憶部
８２  着信情報記憶部
９０，３９０  ＧＭＳＣ
９２  制御部
１００，２００  移動通信システム
２５４  ＳＭＳＣ
２５５  ＩＷＭＳＣ
【図１】
2005303847.tif 000003
【図２】
2005303847.tif 000004
【図３】
2005303847.tif 000005
【図４】
2005303847.tif 000006
【図５】
2005303847.tif 000007
【図６】
2005303847.tif 000008
【図７】
2005303847.tif 000009
【図８】
2005303847.tif 000010
【図９】
2005303847.tif 000011
【図１０】
2005303847.tif 000012
【図１１】
2005303847.tif 000013
【図１２】
2005303847.tif 000014
【図１３】
2005303847.tif 000015
【図１４】
2005303847.tif 000016
【図１５】
2005303847.tif 000017
【図１６】
2005303847.tif 000018